(57)【特許請求の範囲】
【請求項１】
上縁部と底縁部を有し、且つ、配管方向に沿って設けた側壁部材どうしを複数の受け部材で連結してあるダクト本体と、前記両側壁部材の上縁部に対して外方上方から着脱自在に取付け可能な上蓋部材、及び前記両側壁部材の底縁部に対して着脱自在に取付け可能な底蓋部材とを有する配管用ダクトであって、
前記底蓋部材に、前記両側壁部材の底縁部に対して外方下方から接当可能な接当辺部を設け、当該接当辺部には、前記底蓋部材を前記底縁部に外方下方から取り付けるための固定具取付部を形成し、前記底蓋部材の配管方向両端部には、隣接する二つの前記受け部材間から一方の前記受け部材に係止する第１係止部及び隣接する二つの前記受け部材間から他方の前記受け部材に係止する第２係止部を形成すると共に、前記第１係止部の係止先端から第２係止部の係止先端までの距離を、隣接する両受け部材の対向間隔よりも大に形成して、前記第１係止部及び第２係止部を、底蓋部材の撓み変形により受け部材に対して係脱可能に構成してある配管用ダクト。
【請求項２】
前記第１係止部には第１係止片が、前記第２係止部には第２係止片が夫々設けられていると共に、前記第１係止片の長さが前記第２係片の長さよりも長く形成されている請求項１記載の配管用ダクト。
【発明の詳細な説明】
【０００１】
【発明の属する技術分野】
本発明は、底縁部を有し、且つ、配管方向に沿って設けた側壁部材どうしを複数の受け部材で連結してあるダクト本体と、当該ダクト本体に対して着脱自在に取付け可能な底蓋部材とを有する配管用ダクトに関する。
【０００２】
【従来の技術】
従来、この種の配管用ダクトの底蓋部材は、配管ダクトの上蓋部材の側から取り付けるよう構成されていた。このため、当該配管用ダクトに各種の配管を施す場合には、必ず、配管の施工前に底蓋部材を取付けておく必要があった。
【０００３】
【発明が解決しようとする課題】
しかし、上記従来の配管用ダクトでは、配管施工が終了したのちに、配管用ダクトの底部に敷設した配管に新たな加工を施したい場合や、新たな配管を配管用ダクトの底部側に追加したい場合などには、既に敷設してある配管を一端取り出す必要があった。
また、当初、底蓋部材を設けていなかった場合で、後に、跳ね返りによる雨水の浸入を防止したい場合や、日光が入射するのを防止したい場合には、底蓋部材を取り付けるために、やはり既に敷設してある配管を一端取り出す必要があり、これらの作業を行う場合には多大な労力を強いられていた。
【０００４】
本発明の目的は、このような従来技術の欠点を解消し、配管の敷設作業が終了した後においても、底蓋部材を容易に脱着することができる配管用ダクトを提供することにある。
【０００５】
【課題を解決するための手段】
この目的を達成するための本発明の特徴構成を、図１に示した例を参考に説明する。
【０００６】
（構成１）
本発明の配管用ダクトは、請求項１に記載したごとく、上縁部（７）と底縁部（１）を有し、且つ、配管方向に沿って設けた側壁部材（２）どうしを複数の受け部材（３）で連結してあるダクト本体（４）と、前記両側壁部材（２）の上縁部（７）に対して外方上方から着脱自在に取付け可能な上蓋部材（６）、及び前記両側壁部材（２）の底縁部（１）に対して着脱自在に取付け可能な底蓋部材（５）とを有する配管用ダクトであって、
前記底蓋部材（５）に、前記両側壁部材（２）の底縁部（１）に対して外方下方から接当可能な接当辺部（９）を設け、当該接当辺部（９）には、前記底蓋部材（５）を前記底縁部（１）に外方下方から取り付けるための固定具取付部（１４）を形成し、前記底蓋部材（５）の配管方向両端部には、隣接する二つの前記受け部材（３）間から一方の前記受け部材（３）に係止する第１係止部（１０）及び隣接する二つの前記受け部材（３）間から他方の前記受け部材（３）に係止する第２係止部（１１）を形成すると共に、前記第１係止部（１０）の係止先端から第２係止部（１１）の係止先端までの距離を、隣接する両受け部材（３）の対向間隔よりも大に形成して、前記第１係止部（１０）及び第２係止部（１１）を、底蓋部材（５）の撓み変形により受け部材（３）に対して係脱可能に構成した点に特徴を有する。
（作用・効果）
本構成のごとく、前記底蓋部材を前記底縁部に対して外方下方から接当させるから、配管の敷設作業が終了したのちに、新たな配管をダクト本体の底部に敷設する場合や、ダクト本体の底部に敷設した配管に分岐管を増設する場合などに、前記底蓋部材を外方下方側から容易に解放できるから、従来の配管ダクトのように、既に敷設が終了している配管を取り出すような手間がかからず、後からの作業性が極めてよいものとなる。
また、当初、底蓋部材を設けていなかった場合で、後に、跳ね返りによる雨水の浸入を防止したい場合や、日光が入射するのを防止したい場合に、底蓋部材を後付けすることも容易である。
さらに、前記底蓋部材の両端部のうち少なくとも一端部に係止部を設けてあり、この係止部は、隣接する二つの前記受け部材の一方に係止可能である。よって、この係止部を利用して前記底蓋部材をダクト本体へ迅速に仮固定できるから、底蓋部材の取り付け作業が極めて効率的なものとなる。
【０００７】
また、前記係止部（１０，１１）が、前記配管方向（Ｘ）から前記受け部材（３）に当接可能となるように構成されていてもよい。
この場合、前記底蓋部材は、配管方向に長尺状であるから、多少撓ませることは容易である。よって、係止部を配管方向から受け部材に当接可能に構成しておくことにより、底蓋部材を撓ませたのち、底蓋部材の弾力を利用して前記係止部を前記受け部材に係止させることができるから、底蓋部材の取り付け作業が迅速に行える。
【０００８】
更に、前記係止部（１０，１１）に、先細状の係止片（１２，１３）を設けて構成してもよい。
この場合、先細状の係止片を係止部に設けておくことで、係止部を一対の側壁部材の間に挿入する際に、前記係止片が何れかの側壁部材に当接するおそれがなくなり、この結果、前記底蓋部材のダクト本体への取り付け作用を円滑に行うことができる。
【０００９】
（構成２）
本発明の配管用ダクトは、請求項２に記載したごとく、前記第１係止部（１０）には第１係止片（１２）が、前記第２係止部（１１）には第２係止片（１３）が夫々設けられていると共に、前記第１係止片（１２）の長さが前記第２係片（１３）の長さよりも長く形成されていることを特徴とする。
（作用・効果）
本構成のごとく、双方の係止片の長さに差を持たせておいた場合には、長い方の第１係止片を先に一方の受け部材に係止しておき、短い方の第２係止片をもう一方の受け部材に後から係止させることとなる。
この場合に、第１係止片の長さが長いことは、受け部材に対する第１係止片の係止効果を確実ものとする。また、第２係止片を他方の受け部材に係止する際には、前記底蓋部材を撓ませる必要があると考えられるが、第１係止片の係止効果が確実であれば、裏蓋部材を撓ませる際に誤って裏蓋部材が外れるおそれが低下する。
一方、第２係止片を短く形成してあれば、底蓋部材を撓ませる量が少なくてすむから、当該作業に際して作業者はそれほど力を発揮させなくてもよい。この結果、撓ませる程度を誤って底蓋部材を折り曲げてしまう等の不測の事故が発生せず、作業効率もよいものとなる。
【００１０】
尚、上記課題を解決するための手段の説明中、図面を参照し、図面との対照を便利にするために符号を記すが、当該記入により本発明が添付図面の構成に限定されるものではない。
【００１１】
【発明の実施の形態】
以下に本発明の実施例を図面に基づいて説明する。
【００１２】
本発明の配管用ダクトＤの分解斜視図を図１に、および、配管用ダクトＤの縦断面図を図２に示す。
当該配管用ダクトＤは、上縁部７と底縁部１を有し、且つ、配管方向Ｘに沿って設けた側壁部材２どうしを複数の受け部材３で連結してあるダクト本体４と、当該ダクト本体４を構成する両側壁部材２の底縁部１に対して外方下方から着脱自在に取付け可能な底蓋部材５、および、前記ダクト本体４を構成する両側壁部材２の上縁部７に対して外方上方から着脱自在に取付け可能な上蓋部材６とから構成する。
このうち、側壁部材２は、上縁部７および底縁部１を折り曲げて形成してある。これにより、当該側壁部材２を補強すると共に、後述するごとく、上縁部７を前記上蓋部材６の取り付け部として、および、底縁部１を前記底蓋部材５の取り付け部として用いる。
一対の前記側壁部材２は、配管を受けとめる複数の受け部材３によって連結される。前記側壁部材２と前記受け部材３とは、雄ねじ部材Ｎによって着脱自在に固定する。
上蓋部材６を前記上縁部７に取付けるには、図２に示すごとく、上蓋部材６に設けた上蓋取付け孔部８に対して上方から雄ねじ部材Ｎを挿通させると共に、前記上縁部７の裏側に設けた雌ねじ部材ｎに雄ねじ部材Ｎを螺合させて行う。当該雌ねじ部材ｎは、例えば前記上縁部７に対して直に雌ねじを形成してもよいし、別途形成したナット部材を溶接等によって取り付けるものであってもよい。
【００１３】
本発明の配管用ダクトＤは、特に底蓋部材５に特徴を有する。
当該底蓋部材５は、配管方向Ｘに沿った両側に、一対の前記底縁部１に対して外方から接当可能な接当辺部９を有しており、前記ダクト本体４に対して下方外方から取付け自在に構成してある。
当該底蓋部材５には、配管方向Ｘに沿った両端部に第１係止部１０および第２係止部１１を設けてある。これらの第１係止部１０および第２係止部１１は、前記ダクト本体４の受け部材３に係止するための部材であって、前記第１係止部１０の係止先端から第２係止部１１の係止先端までの距離を、隣接する両受け部材３の対向間隔よりも大に形成して、前記第１係止部１０及び第２係止部１１を、底蓋部材５の撓み変形により受け部材３に対して係脱可能に構成してある。
図１および図３に示すごとく、前記第１係止部１０の先端部および前記第２係止部１１の先端部には、前記受け部材３に係止させるために、前記底蓋部材５の面方向と略平行に延出した第１係止片１２および第２係止片１３を設けてある。これら第１係止片１２および第２係止片１３は、一対の側壁部材２どうしの間に容易に挿入できるよう先細状に形成してある。
図３には、底蓋部材５の側面図および平面図を示すが、当該図３から明らかなごとく、配管方向Ｘに沿った前記第１係止片１２の長さ、および前記第２係止片１３の長さは、互いに異ならせて構成してある。つまり、前記底蓋部材５を前記ダクト本体４に取り付ける際には、図４に示すごとく、底蓋部材５を撓ませた状態で、隣接する受け部材３どうしの間に取付ける必要がある。その際、本構成のごとく、例えば、前記第２係止片１３の長さを短く形成しておけば、先に、前記第１係止片１２を一方の受け部材３に係止させたのち、第２係止片１３をもう一方の受け部材３に係止させることとすれば、底蓋部材５を撓ませる量が僅かとなって、底蓋部材５の取り付け作業が容易となる。
【００１４】
前記接当辺部９には、前記底蓋部材５を固定具を用いて前記底縁部１に取り付けるための固定具取付部１４を形成してある。図１および図２に示すごとく、例えば、固定具としては雄ねじ部材Ｎを用いることとし、固定具取付部１４としては前記雄ねじ部材Ｎを貫通させるための孔部として構成することができる。前記底縁部１には、雌ねじ部を直に形成しておくか、別途形成した雌ねじ部材ｎを溶接等で固設しておく。雄ねじ部材Ｎを前記固定具取付部１４を貫通させつつ前記雌ねじ部材ｎに螺合させることで、前記底蓋部材５を前記ダクト本体４に取り付けることができる。
【００１５】
以上のごとく、底蓋部材５をダクト本体４の下方外方から着脱自在な構成にすることで、一端、配管作業が終了したのちに、新たな配管をダクト本体４の底部に敷設する場合や、ダクト本体４の底部に敷設した配管に分岐管を増設する場合などに、前記底蓋部材５が容易に解放できるから、従来の配管用ダクトのように、既に敷設が終了している配管Ｐを取り出すような手間がかからず、後からの作業性が極めてよいものとなる。
また、当初、底蓋部材５を設けていなかった場合で、後に、跳ね返りによる雨水の浸入を防止したい場合や、日光が入射するのを防止したい場合に、底蓋部材５を後付けすることも容易である。
さらに、本構成であれば、前記第１係止部１０および第２係止部１１を利用して前記底蓋部材５を迅速に仮固定できるから、ダクト本体４への底蓋部材５の取り付け作業が極めて効率的なものとなる。
【００１６】
尚、前記配管用ダクトＤどうしを連結するには、図１および図５に示すごとく、配管方向Ｘに隣接する側壁部材２夫々を内・外一対の側壁連結部材１５で挟持して連結すると共に、隣接する上蓋部材６夫々を内外一対の上蓋連結部材１６Ａと上蓋裏当板１６Ｂとで挟持して連結する。
即ち、取付けが終了した側壁連結部材１５の外側部材１７の上縁には、配管用ダクトＤの内方に向けて上蓋裏当板受け部１７Ａを延出させて設けてある。前記上蓋裏当板受け部１７Ａは、図１に示すように溝部１７Ｂを有する鈎状に構成してある。
前記上蓋裏当板１６Ｂは、左右の側壁部材２に取付けた一対の上蓋裏当板受け部１７Ａに対して仮止めする。配管方向Ｘに直交する方向における上蓋裏当板１６Ｂの両端部の裏面には、雌ねじ部材ｎを取付けてある。当該雌ねじ部材ｎは、上蓋連結部材１６Ａと上蓋裏当板１６Ｂとを締結する際に用いる雄ねじ部材Ｎを螺合させるためのものであるが、雌ねじ部材ｎを前記溝部１７Ｂはめ込みつつ、上蓋裏当板１６Ｂを上蓋裏当板受け部１７Ａの上面に載置する。この場合、上蓋裏当板１６Ｂの前記両端部は、前記上蓋裏当板受け部１７Ａと側壁部材２の上縁部７とで挟持される。本構成にすることで、続いて上蓋連結部材１６Ａを被せた場合に上蓋裏当板１６Ｂが逃げることがなく、上蓋連結部材１６Ａを容易に取り付けることができる。
特に、これらの配管用ダクトＤを垂直方向に敷設する場合には、上蓋裏当板受け部１７Ａの溝部１７Ｂが上方に開口するよう、側壁連結部材１５を取り付けておくとよい。この場合には、上蓋裏当板１６Ｂの雌ねじ部材ｎが溝部１７Ｂに係止されるから、上蓋連結部材１６Ａを被せる場合に、上蓋裏当板１６Ｂが落下することがなく、上蓋連結部材１６Ａを効率よく取付けることができる。
この場合に、側壁連結部材１５の外側部材１７と側壁部材２、及び、上蓋連結部材１６Ａと上蓋部材６との間には、図５に示すごとく、雨水が配管ダクトの内部に浸入しないように夫々シール部材１８を配置する。当該シール部材１８は例えば、一般のゴム部材やスポンジ状の各種樹脂、あるいは、フェルトその他の繊維などで構成することができる。
内・外一対の側壁連結部材１５を締結するための雄ねじ部材Ｎおよび内外一対の上蓋連結部材１６Ａ，１６Ｂを締結するための雄ねじ部材Ｎ１は、配管用ダクトＤの最外周部分に位置することとなるため、図６に示すごとく頭部が皿状のものを用いることとし、前記上蓋連結部材１６Ａの表面から突出しないように構成する。
【００１７】
〔別実施形態〕
上記実施形態においては、第１係止部１０と第２係止部１１とを前記底蓋部材５の両端部に設けたが、何れか一方の端部にのみ設けるものであってもよい。
例えば、図７に示すごとく、第１係止部１０のみを設けておき、もう一方の端部は単に折り返して補強部分として構成しておく。
この場合に前記底蓋部材５を前記ダクト本体４に取り付けるには、例えば、作業者は前記第１係止部１０を受け部材３に当接させておき、前記底蓋部材５のもう一方の端部を片手で保持することで、前記底蓋部材５を容易に仮固定することができる。
よって、本構成の場合にも、上記実施形態の場合と同様に簡便な作業によって底蓋部材５を取り付けることができる。
【図面の簡単な説明】
【図１】本発明に係る配管用ダクトを示す分解斜視図
【図２】本発明に係る配管用ダクトの縦断面図
【図３】本発明に係る底蓋部材の側面図および平面図
【図４】底蓋部材の取付け要領を示す説明図
【図５】配管用ダクトどうしの連結部分における縦断面図
【図６】上蓋連結部材の取付け部分の縦断面図
【図７】別実施形態に係る底蓋部材の側面図および平面図
【符号の説明】
１    底縁部
３    受け部材
５    底蓋部材
９    接当辺部
１０  第１係止部
１１  第２係止部
１２  第１係止片
１３  第２係止片
１４  固定具取付部
Ｘ    配管方向
【図１】
0003887450.tif 000002
【図２】
0003887450.tif 000003
【図３】
0003887450.tif 000004
【図４】
0003887450.tif 000005
【図５】
0003887450.tif 000006
【図６】
0003887450.tif 000007
【図７】
0003887450.tif 000008